(57)【特許請求の範囲】
【請求項１】
所定の患者モニタ区域内に設置された、患者に結合するよう適合された複数のセンサからの患者データを取得するためのモニタ装置において、
複数のセンサから取得された患者データ信号を受け取り、処理し、そして表示するために、複数のセンサに結合されるよう適合されたポータブルモニタと、
患者データ信号の送信及び受信の少なくとも一方を行う周辺機器と、
接続された患者データ信号のためのデータ転送を提供する、前記患者モニタ区域内に設置された通信装置と、
前記ポータブルモニタが前記患者からの医療データを取得している時、前記周辺機器と前記ポータブルモニタとの間に患者データ信号転送を提供するために、前記所定の患者モニタ区域内に設置された、そして前記ポータブルモニタおよび前記周辺機器それぞれに選択的に結合されるよう適合された、少なくとも第１および第２ドッキングステーションとを含んでおり、前記第１および第２ドッキングステーションの各々は前記通信装置にも結合されており、前記ポータブルモニタは前記第１ドッキングステーションに、周辺機器は前記第２ドッキングステーションにそれぞれ接続されていることを特徴とするモニタ装置。
【請求項２】
前記ポータブルモニタが前記患者から患者データを取得しているとき、前記第２ドッキングステーションが前記周辺機器と前記ポータブルモニタとの間に前記通信装置を介して２方向データ転送を提供するような、請求項第1項記載のモニタ装置。
【請求項３】
前記第１および第２ドッキングステーションが、前記ポータブルモニタおよび前記周辺機器それぞれに電気的および機械的接続をおこなうよう適合された、第１および第２の型式の支持プラットフォームを含むような、請求項第１項記載のモニタ装置。
【請求項４】
前記第１および第２の型式の支持プラットフォームの各々が、
電気的コネクタを前記周辺機器のそれぞれの１つの中に、そして前記ポータブルモニタを前記支持プラットフォーム内の電気的コネクタと機械的整列状態に、ガイドするためのガイド機構と、そして
前記ポータブルモニタおよび周辺機器の、前記支持プラットフォームへの機械的固定と共に、前記周辺機器およびポータブルモニタ内の電気的コネクタの選択的電気的係合を生じさせるためのラッチ機構と、を含むような、請求項第３項記載のモニタ装置。
【請求項５】
前記通信装置は前記患者モニタ区域外の患者データ信号の転送を提供するデータ通信ネットワークに接続されている、請求項第１項記載のモニタ装置。
【請求項６】
前記通信装置は、前記第１および第２の型式の支持プラットフォームそれぞれを介して前記ポータブルモニタと前記周辺機器とに動作電力を供給する電源を含んでいる、請求項第３項記載のモニタ装置。
【発明の詳細な説明】
【０００１】
【発明の属する技術分野】
本発明は、医療用装置に、そして特に医療用データを収集し、蓄積しそして表示するためのポータブル患者モニタ装置に関する。
【０００２】
【従来の技術】
病院および他の健康管理施設においては、患者からの種々の医療データを連続的に収集し、そして分析することがしばしば必要となる。これらのデータは、心電図、体温、血圧、呼吸、脈拍および他のパラメータを含んでいる。
【０００３】
患者モニタ装置は標準的に、２つの大きなカテゴリのうちのいずれか一方に属するものであり、その１つは全ての必要とされるデータを処理し収集する、しかし大きくそして移送が困難な、多機能監視、記録および表示装置であり、他方は、移送は容易であるがしかし、より少ないデータの型式を処理し、収集する、そして制限された蓄積容量を持つ、ポータブル装置である。（たとえば救急車または救急処置室における）初期的には、患者は簡単な、ポータブルモニタに接続され、ＥＫＧまたは非侵入血圧のような、制限された数の医療属性を観察される。患者が（たとえば集中治療病棟または手術室のような）より高度な治療施設に移されると、付加的なパラメータを観察するために、それら簡単なモニタを増強することが望ましくなる。一般的には、このことは患者を簡単なモニタから接続外しし、そして患者をより大きな能力を持つモニタ装置に接続することによって行われる。
【０００４】
緊急状況下においては、データ収集および表示の連続性の必要が最も差し迫ったものである。緊急状況においては、患者がベッドから手術室または集中治療病棟に移送される速度が実質的に患者の生存機会に衝撃を与える。固定されたベッドサイドにおけると同様、移送においても同じモニタレベルを提供することが重要である。臨床的な観点からは、患者を追跡する連続的なモニタ能力およびデータ履歴入手を提供することが望ましい。
【０００５】
移送用モニタ装置の設計における２つの重要な課題は、装置の再構成の容易さと速度である。固定された場所のモニタ装置に結合された１組のセンサを患者から接続外しし、そして次に移送または危急な処理の管理の直前にポータブルモニタに新しい１組のセンサを結合させることは、望ましいことではない。個々のセンサの接続外し／再接続によって、固定された場所のモニタ装置から、移送のためのポータブルモニタ装置に、モニタ装置を切り替えることもまた望ましくない。
【０００６】
本発明と同じ代理人に委託された、運搬可能なモジュラ患者モニタと題する米国特許第５，３７５，６０４号は、物理的および電気的の両方で運搬可能な患者モニタを支持するドッキングステーションを含む形式の運搬可能な患者モニタ装置を説明している。
【０００７】
上記の’６０４特許において説明された装置が従来技術を越えた多大な改善であるとしても、さらに改善が望まれる。すなわち、標準的には、ストリップチャートレコーダ、患者換気装置等の、モニタ装置に接続を要求する周辺機器が存在するということである。そのような周辺機器の接続はしばしば、患者モニタ区域を横断する多くの電気ケーブルによる複雑さをもたらすものとなる。加えて、そのような周辺機器の接続／接続解除は煩雑なだけでなく、緊急および／またはあわただしい処置の際には接続間違いを犯すもととなる。さらにまた、そのような周辺機器は、そのような周辺機器の接続／接続解除に要する時間を節減する目的で、患者と共に移送されることも多い。
【０００８】
モニタが１つの患者治療区域から他へと移動するとき、またはモニタ装置が再構成されるときにはいつも、患者モニタおよび周辺機器が容易に接続でき、そして他から接続解除できるような患者モニタ装置を持つことが望ましい。
【０００９】
【発明が解決しようとする課題】
周辺機器が容易に接続でき／接続解除できる、患者モニタ装置を提供することが本発明の目的である。
【００１０】
【課題を解決するための手段】
所定の患者モニタ区域内に置かれた、患者に結合できるように適合された複数のセンサから医療用データを取得するためのモニタ装置。この装置は、ポータブルモニタ、少なくとも１つの周辺機器およびドッキングステーションを含む。ポータブルモニタは、複数のセンサから取得された患者データ信号を受け取り、処理し、そして表示するために、複数のセンサに結合されるのに適している。周辺機器はモニタ装置への接続を要求し、そして例えばストリップチャートレコーダを含んでいる。ドッキングステーションは所定の患者モニタ区域内に置かれ、そしてポータブルモニタが患者から医療用データを取得している際に、周辺機器とポータブルモニタとの間にデータ転送を提供するために、ポータブルモニタおよび周辺機器それぞれに選択的に結合できるように適合された、少なくとも第一および第二のドッキングステーションプラットフォームを含んでいる。
【００１１】
【実施例】
本発明による、ドッキングステーション１１１およびドッキングステーションプラットフォーム１１０を含む患者モニタドッキングステーション装置１００の一例が図１に示されている。ポータブルモニタ１０２は、患者からの生理学的データを収集するための侵入形および非侵入形機器の両方を含むことができる（示されていない）複数のセンサからの生理学的データ信号を取得する。ポータブルモニタ１０２は生理学的データを表示し、そして患者データ信号をドッキングステーション１１１に伝送する（当業技術者にとっては述語「患者データ」は以下に用いられるように、患者に取り付けられた複数のセンサによって生じた信号から得られる処理された情報を指していることを理解すべきである。こうして、「患者データ」は本明細中ではたとえば、スレーブディスプレイを駆動するための赤、緑および青のラスタースキャンビデオ信号を、または周辺機器を制御するためのステータスおよび制御情報を提供するための信号を含むことができる）。ドッキングステーション１１１は、モニタ１０２がドッキングステーション上に取り付けられてる間は、ポータブルモニタ１０２に電力を供給し、そして通信サービスを行う。搭載機構は、移送のための（機械的におよび電気的に、の両方で）ドッキングステーション１１１とモニタ１０２の迅速な接続／接続解除用に設けられる。個々のケーブルまたはコネクタを取り扱うことなく、モニタ系統内の別の場所にモニタを移送するため、モニタ１０２をユーザーが容易に「取りあげそして移動する」ことができるよう、この接続／接続解除は単独ステップで実行できることが望ましい。
【００１２】
ドッキングステーション１１１は、３つのモジュールコンポーネントを含んでいる。本発明の原理によれば、最初の２つのコンポーネントは、それぞれモニタおよび周辺ドッキングステーションプラットフォーム１１０’および１１０”である。ポータブルモニタ１０２を支持するドッキングステーションプラットフォームは、モニタドッキングステーション１１０’として解釈され、そして周辺機器を支持するドッキングステーションプラットフォームは周辺ドッキングステーション１１０”として解釈される。ポータブルモニタ１０２は、たとえば患者のベッドの近くまたはベッドフレームに取り付けられるかして、患者領域に位置決めされるドッキングステーションプラットフォーム１１０’上に置くことができる。周辺ドッキングステーション１１０”は、ストリップチャートレコーダ１６４または他のそのような機器のような、周辺装置のための機械的支持および電気的接続を提供する。
【００１３】
複数の周辺ドッキングステーション１１０”が、それら周辺機器のために、ローカルエリアネットワークおよび患者モニタ装置１００の一部を形成するポータブルモニタ１０２との通信手段を提供するということは、注目すべきである。
【００１４】
周辺ドッキングステーション１１０”は、モニタドッキングステーション１１０’と殆ど同等の機械的形状および機能を持っているが、しかしこれは異なる電気的コネクタを持ち、そしてポータブルモニタが周辺ドッキングステーションプラットフォームに接続されることを、そしてその逆も、防止するような方法で保護されている。以下に用いられるように、述語、ポータブル機器はドッキングステーションプラットフォーム１１０上に取り付けることができるポータブルモニタ１０２、レコーダ１６４または他の機器を含んでいる。
【００１５】
ドッキングステーションプラットフォーム１１０は、ベッドサイドディスプレイ１２０、動作用電源１３４、および大型ビデオディスプレイ１２４への接続と同様、ポータブルモニタ１０２およびレコーダ１６４のための機械的支持をも提供する。ドッキングステーション１１１はまた、カップリング１７０、１７２および１７４を通して複数のローカルエリアネットワーク（ＬＡＮ）と通信することができ、そしてネットワークを通してコンピュータまたはインテリジェントワークステーション１２２との通信を提供する。ドッキングステーション１１１は、各機器またはネットワークに関する個々のケーブルを接続する必要なく、ポータブルモニタ機器をいくつかの機器およびネットワークに接続するための簡単な機構を提供する。ドッキングステーションプラットフォーム１１０上の、およびポータブル機器（１０２、１６４）のケース上の、データおよび電源コネクタは、確立されるべき物理的および電気的カップリングを同時に可能とする。
【００１６】
ドッキングステーションの第３のコンポーネントは、ここではウォールボックス１４０として、そして図２および４において示される別の実施例においては、電源およびネットワークボックス（ＰＳＮ）２４０として解釈される電源およびネットワークボックス１４０である。図１の実施例においては、ウォールボックス１４０はドッキングステーション１１１の中に物理的に含まれている。図２（および４）の実施例においては、ウォールボックス１４０はドッキングステーションプラットフォーム１１０から物理的に分離されており、そして図２に示されるようにケーブル１１０ｍのコネクタ１１０ａおよび１１０ｈを通してドッキングステーションプラットフォームに結合される。どちらの実施例においても、ウォールボックス１４０およびＰＳＮ２４０によって提供される機能は極めて類似していることは、この説明を通して、心にとどめておくべきである。ウォールボックス１４０は動作しているモニタ１０２のための、そしてモニタ１０２の内部の（または取り付けられている）バッテリパックを充電するための電力を供給する。ウォールボックス１４０はまた、ドッキングステーション１１１が置かれている部屋の内側および外側の両方の、ネットワークおよび機器への通信リンクも提供する。
【００１７】
既知の通信インターフェイス、たとえばＲＳ−２３２インターフェイススタンダード、を用いてシリアル機器をポータブルモニタおよびネットワーク上のリモートステーションに接続するための、８つのマルチベンダーポート（ＭＶＰ）１３０が設けられている。
【００１８】
ポータブルモニタ１０２は、自己充足の、スタンドアロンのモニタ装置である。モニタ１０２は、処理に必要な全ての処理用電子回路、ディスプレイおよび移送の間の患者データ蓄積装置を含んでいる。ここで説明されている実施例においては、ポータブルモニタ１０２は、移送の間のネットワークインターフェイスの広範囲の適用を含んではおらず、例としてのモニタ１０２は中央モニタ装置への、または通信ネットワークへの、いかなる接続も持っていない。ポータブルモニタ１０２は、移送の間に使用するための再充電可能なバッテリパックを持っている。ポータブルモニタはまた、外部電源から電力を受け取ることができる。電力は、ドッキングステーションプラットフォーム１１０を通してウォールボックス１４０から受け取ることができ、そしてウォールボックス１４０のポータブル版、すなわちＰＳＮ２４０、の場合には、これは電気ケーブルを用いて受け取るか、またはモニタ１０２のケース上にＰＳＮ２４０を直接的に取り付けることによって受け取ることができる。
【００１９】
ベッドサイドディスプレイ１２０は、ドッキングステーション１１１からの表示のための信号を受け取るスレーブユニットであることができる。そうでなければ、ベッドサイドディスプレイ１２０は、ユーザーインターフェイスを完備したインテリジェントディスプレイであってもよい。そうでなければ、ベッドサイドディスプレイはＶＧＡディスプレイと一般的なディスク蓄積装置を持ったインテリジェントワークステーション１２２であってもよい。
【００２０】
図２は、図１のドッキングステーションプラットフォーム１１０、ＰＳＮ２４０およびモニタ組立１００を含む、本発明の実施例の等角図を示している。ドッキングステーションプラットフォーム１１０は、１つまたはそれ以上のケーブル１４２によってＰＳＮ２４０に接続される。ポータブルモニタ１０２は、物理的支持、電力および通信を提供するドッキングステーションプラットフォーム１１０’上に取り付けられる。モニタ１０２は、データ取得ポッド１５０および１５２からの生理学的データ信号を取得する。ポッド１５０はＥＣＧ、ＳＰＯ２および温度センサからのデータを提供する。ポッド１５２は、侵入血圧、心臓出力および温度センサからのデータを提供する。非侵入型血圧カートリッジ１６０および終了呼吸ＣＯ２カートリッジ１６２は、付加的患者データを収集する。カートリッジ１６０および１６２、並びにバッテリパック１６６は図解の目的からポータブルモニタ１０２のケースに個別に取り付けられている。レコーダ１６４はドッキングステーション１１０”上の取り付けを通してモニタ装置に接続されるよう示されている。注意すべきことは、図２は特定の患者モニタ区域における多数のドッキングステーションプラットフォーム１１０を描いているということである。病院または他の健康管理施設においては、ドッキングステーションプラットフォーム１１０’および１１０”は、地理的に分離された区域内において、その施設に分散されるものであるが、しかしそれらはウォールボックス１４０、ＰＳＮ２４０および装置通信ネットワークを通して互いに患者データを伝送するために接続される。
【００２１】
図３は、ポータブル機器が取り付けられる、ドッキングステーションプラットフォーム１１０の一例の分解図を示している。ケーブル１１０ｍは、ドッキングステーションを通してＰＳＮ２４０からポータブル機器まで電気信号を運搬する。ケーブル２６８は図１に示されている導体１２６から１３９上で信号を運搬する。ケーブル１１０ｍのドッキングステーション端におけるコネクタ１１０ａは、トロリー１１０ｇに取り付けられ、そしてケーブル１１０ｍの他端におけるコネクタ１１０ｈはポータブル機器に取り付けられる。
【００２２】
ドッキングステーショントップカバー１１０ｂは、保護カバーとして機能するだけでなく、ポータブル機器を取り付けるためのガイドとして機能する。カバー１１０ｂは先細の外側エッジと滑らかに丸められた外側表面を用いて初期整列を提供する。一旦整列されたなら、トップカバー上の外形は、トップカバー１１０ｂの表面において多くの整形された刻み目の１つを含んでいる位置決めキー１１０ｆを用いてポータブル機器を正確な最終整列位置に押し込む。一旦位置決めされると、トップカバー１１０ｂ上の左および右側から柔軟につきだしているロッキングレールスナップ１１０ｄが機器をドッキングステーションに固定する。その結果、ドッキングステーショントロリー１１０ｇを前進させるようにカム係合しているレバーアーム１１０ｃを移動させることにより、ドッキングステーションの電気的コネクタ１１０ａは、ポータブル機器の相当するコネクタと噛み合うようポータブル機器の相当する電気的コネクタと係合する。ポータブル機器は、レバーアーム１１０ｃを最初の位置に戻すよう移動させることにより、係合解除でき、そしてトップカバー１１０ｂの両側からの突き出しから柔軟なロッキングスナップ１１０ｄを収縮させるようなカムの逆転動作を用いることにより、レバーアーム１１０ｃが付加的な量を移動して解放が行われ、これによってポータブル機器がポータブルドッキングステーションから取り外される。
【００２３】
位置決めキー１１０ｆは、機器およびドッキングステーションプラットフォーム１１０の正確な整列のために好都合である。加えて、これらのキーは周辺ドッキングステーションプラットフォーム１１０’上へのポータブルモニタの、またはモニタドッキングステーション１１０”上への周辺機器（すなわちレコーダ）の不注意な設置を防止する。
【００２４】
ドッキングステーション機構構成の多くの変形が可能である。これらはポータブルモニタ１０２とドッキングステーション１１１との間のデータ伝送に用いられる異なる技術によるものである。それらの技術の例は、赤外線および無線周波数伝送技術を含んでいる。当業技術者は、そのような技術のいくらかはケーブル１１０ｍと共に、またはそれを置換するように用いることが可能であることを理解するであろう。
【００２５】
取り付けアダプタ１１０ｅは、（示されていない）点滴（ＩＶ）支柱、シェルフ、取り付けアームまたはベッドフレームに限らず、種々の場所にドッキングステーションプラットフォーム１１０を取り付けるのに用いることができる。ドッキングステーションプラットフォーム１１０をベッドまたはＩＶ支柱に取り付ける時は、その両方とも可動性のものであるため、ドッキングステーションを電力に、機器に、およびドッキングステーションが置かれている部屋の外側のネットワークに結合させるため、固定した位置にウォールボックス１４０を設けることが望ましい。壁の上に取り付けられたＰＳＮ２４０は、この目的のために適切である。
【００２６】
再び図３を参照すると、ケーブル１１０ｍは、ポータブル機器がドッキングステーションプラットフォーム１１０の上にあるときは、ポータブル機器から外部機器への、およびネットワークへの、データ通信リンクの他、ポータブル機器への電力を供給する。ケーブル１１０ｍは、ローカルエリアネットワーク（ＬＡＮ）に直接的にインターフェイスする一般的なコネクタであってもよい。ネットワークは衝突検出（ＣＳＭＡ／ＣＤ）を持つキャリアセンスマルチプルアクセスのような種々の既知ＬＡＮプロトコルの１つを用いることができる。加えて、データは一般的な患者モニタ装置ベッドサイドディスプレイ１２０に、および／またはカスタマイズされたインテリジェントワークステーション１２２に出力されることができる。ドッキングステーション１１１は、ポータブルモニタ１０２に接続されている電気的パスとは電気的に絶縁されている。
【００２７】
ドッキングステーション１１１は、これがドッキングステーションプラットフォーム１１０の上に取り付けられている時には、機器を動作させるために、ケーブル１１０ｍを通してポータブルモニタ１０２に１２ボルトＤＣ電力を提供する。ポータブルモニタ１０２は、バッテリ充電器およびニッケルカドミウム電池１６６（図１に示されている）を含んでいる。バッテリ充電器は、電池に充電するために備えられているコネクタおよびスイッチを含んでいる。ドッキングステーション１１１は、スイッチを作動させるためにバッテリ充電器に信号を伝送し、その結果、バッテリ充電器はポータブルモニタ１０２がドッキングステーション上に取り付けられている間、電池１６６を再充電する。
【００２８】
ポータブルモニタ１０２は、モニタされている生理学的パラメータに関するアラーム処理を含んでいる。それらアラーム条件のいくつかが存在するならば、ポータブルモニタ１０２は、ドッキングステーション１１１にアラーム信号を提供する。ドッキングステーション１１１は、ポータブルモニタがドッキングステーション上に取り付けられている間、ポータブルモニタによってそれら信号が発生されるならば、アラーム信号を受け取るためにケーブル１１０ｍ内に分離されたラインを含んでいる。アラーム出力信号は、ドッキングステーションプラットフォーム１１０によって受け取られ、そして光またはサイレンのようなローカルアラーム機器を作動させるためのリレーを閉じさせるため、ライン１２６を通してウォールボックス１４０に伝送される。
【００２９】
ドッキングステーション１１１はまた、細動除去器をトリガするために用いることができる同期化信号をポータブルモニタ１０２から受け取ることができる。この信号は次にＰＳＮ２４０から出力される。
【００３０】
図４は、電源ネットワークボックス２４０を示している。ＰＳＮ２４０は、複数のローカルエリアネットワーク（ＬＡＮ）またはシリアルまたはパラレルビットデータリンクを含むことができる通信リンクにドッキングステーションプラットフォーム１１０を結合させる。ＰＳＮ２４０は、それらＬＡＮを通しての伝送のためにドッキングステーション出力信号を条件づけするためのバッファ増幅器を含んでいる。第２の実施例においては、ＰＳＮ２４０は、ポータブル機器と、ＬＡＮ１７４に接続されている他の装置との間の２方向通信を提供する（示されていない）ネットワークインターフェイスカードを含んでいる。このＬＡＮ１７４は、患者データを転送するためにポータブル機器と、リモートステーションを持つベッドサイドディスプレイ１２０とを接続する。リモートステーションは、患者モニタ装置またはコンピュータであってもよい。このＬＡＮ１７４は、２秒以内のメッセージ遅延を発生するように構成されている。当業技術者にとっては、いくつかのＬＡＮプロトコルがＬＡＮ１７４として使用することができることを理解するであろう。
【００３１】
実施例においては、ＰＳＮ２４０は、電子工業協会のＲＳ−２３２Ｃインターフェイス標準のようなプロトコルを用いてベッドサイドディスプレイに直接的なビデオ接続を提供する。ポータブルモニタ１０２がドッキングステーションプラットフォーム１１０上にある時、モニタ１０２は、ＲＳ−２３２Ｃリンクを用いてベッドサイドディスプレイ１２０を駆動する。そうでなければ、ＰＳＮ２４０は、たとえばＰＳＮ２４０への１０Ｍビット／秒のＣＳＭＡ／ＣＤ  ＬＡＮであってもよい（デバイスＬＡＮとして知られている）第２ＬＡＮ１７２とインターフェイスするための（示されていない）第２の一般的なインターフェイスカードを含むこともできる。デバイスＬＡＮは患者データを、病室または手術室の室内で、または中央ステーションを通して、分配するために用いられる。デバイスＬＡＮは、ポータブルモニタ１０２から同じ部屋にあるベッドサイドディスプレイ１２０に、ほとんどリアルタイムで患者データを転送するための主通信パスを提供する。このＬＡＮは、短い遅延を保つよう構成され、そして通常２００ミリ秒のデバイス間応答時間まで許容されている。
【００３２】
ＰＳＮ２４０は、（示されていない）第３インターフェイスカードと、そして入力および出力機器を接続するための付加的ＬＡＮへの結合を提供する分離された接続１３８を含んでいる。この付加的ＬＡＮは、予め知られている応答時間となるよう、デバイスポーリングを持つハイレベルデータリンク制御（ＨＤＬＣ）のようなプロトコルを使用することもできる。この付加的ＬＡＮは、マイクロＬＡＮ１７０として知られている。マイクロＬＡＮは入力および出力機器を、ドッキングステーション１１１によってポータブルモニタ１０２に接続するために用いられる。（図１に示されている）これらの機器は、キーボード１８２、ポインティングデバイス１８４、音声認識装置１８６、バーコード読みとり器１８８、ラベルプリンタ１９０、およびリモート制御１９２を含むことができる。リモート制御１９２は、有線または赤外線（ＩＲ）のいずれであってもよい。手術室光線が、ＩＲ制御信号をひずませるため、手術室（ＯＲ）環境においては有線リモート制御がより望ましいかもしれない。
【００３３】
実施例においては、３つの別個のＬＡＮがドッキングステーションをリモートステーションに、ローカルステーション（すなわち同室内のそれら）に、そしてＩ／Ｏ機器に、接続するために用いられてはいるが、データ通信の分野における技術者は、それら異なる型式のトラフィックに関して望ましいレベルの性能および信頼性を達成するために種々のネットワーク構成が用いられることを理解するだろう。加えて、偶然の、または権威づけされていない使用を防止するために、機器または、分離されたＬＡＮ上の複数の機器のクラスを絶縁することにより、患者を保護するよう、ネットワーク構成は特別あつらえされることもできる。より小さな据え付けは、患者モニタトラフィックの全てを収容するための施設内に１つのローカルエリアネットワークを備えることである。
【００３４】
ＰＳＮ２４０（およびウォールボックス１４０）は、ポータブルモニタ１０２からのディジタルデータを受信し、そしてそのディジタルデータから複数のアナログ波形信号を発生する、（明確には示されていない）デマルチプレクサおよびＤ／Ａコンバータを含んでいる。このアナログ信号はポート１２９に送られる。４つのアナログ出力ポートは、外部機器（たとえばディスプレイレコーダ）への伝送のために波形データを提供する。こうして、モニタによって収集されたデータを表示するために、（実施例においてはディジタル形式で患者データを提供する）ポータブルモニタに現存するアナログ装置が接続されることができる。（ポータブルモニタ１０２またはドッキングステーションプラットフォーム１１０の内部で行うのではなく、ＰＳＮ２４０の内部でデマルチプレクスすることにより、モニタ１０２とドッキングステーションプラットフォーム１１０との間の、そしてドッキングステーションプラットフォーム１１０とＰＳＮ２４０との間の電気的結合が簡単化される。
【００３５】
ＰＳＮボックス２４０は、ブラケット２６０上で壁、ベッドまたは何らかの他の支持物に取り外し可能な形で取り付けることができる。図４に示されるように、ブラケット２６０は、取り付け穴２６１を通してねじ込まれる一般的な留め具を用いて壁または他の永久的な表面に永久的に取り付けられることができる。
【００３６】
実施例においては、ＰＳＮボックス２４０の背面の（明確には示されていない）プレートは、ブラケット２６０の溝２６２と２６４との間に形成されるチャンネル２６６内を滑り落ちる。ブラケット２６０は、取り付け穴２６１を通してねじ込まれる一般的な留め具を用いて、壁または他の永久的な表面に永久的に取り付けられることができる。ＰＳＮボックス２４０は、（示されていない）それぞれのケーブルを受けるために、複数のコネクタ２４４、２４５、２４６、２４７、２４８、２４９および２５０を含んでいる。図３において示されたように、ＰＳＮ２４０を参照しながら既に説明されている通り、ケーブルはＰＳＮボックス２４０をネットワークにおよび電源に結合させる。コネクタ２５０は室内からＡＣ電力を受ける。コネクタ２４４および２４５は一般目的のシリアルポートを提供する。コネクタ２４６は、ベッドサイドディスプレイ１２０へのシリアルおよびビデオ接続を提供する。コネクタ２４７は、ＬＡＮ１７４への接続を提供する。コネクタ２４８および２４９は、周辺ドッキングステーション１１１へのコネクタを提供する。ＰＳＮボックス２４０はまた、囲われた煙突形ヒートシンク２４２をも含んでいる。
【００３７】
前に説明した米国特許第５，３７５，６０４号において示されているように、ＰＳＮ２４０はまた「半永久的」方法でモニタ１０２に取り付けることもできる。ＰＳＮ２４０はモニタ１０２に直接的に取り付けられる時、ドッキングステーションプラットフォーム１１０は使用されない。
【００３８】
図４に示されるＰＳＮボックス２４０は、ＰＳＮ２４０に関して可能な機械的および電気的構成の単に１つの例である。他の構成は、ポータブルモニタ１０２に直接的に取り付けられるような変更や、または、より少ないかより多い回路ボードおよびコネクタをもつような変更を持つことができる。図４に示される構成においては、ＰＳＮボックス２４０はドッキングステーション１１１によって提供される機能（すなわちウォールボックス１４０の機能）の一部を引き受けている。
【００３９】
図４に示される例としてのＰＳＮ２４０が、図１に示されるウォールボックス１４０のように多くのポートを持たないとしても、当業技術者は、ＰＳＮボックスがウォールボックス１４０と同じ数の、そして同じ型式のポートで構成できることを理解するであろう。内部的には、ＰＳＮは、ウォールボックス１４０と同じネットワークインターフェイスカードおよび電子回路の構成を含むことができる。当業技術者は、ＰＳＮ２４０が望み通り付加的なインターフェイスを持つように構成することもでき、または例としてのＰＳＮ２４０のようにより小さな据え付けにおいて用いる観点からインターフェイスを減少させて適合させることもできる。
【００４０】
ウォールボックス１４０とＰＳＮボックス２４０との間の主要な差異は、機械的容器である。図４において示される構成においては、ＰＳＮボックス２４０はウォールボックス１４０の機能限定変更である。
【００４１】
当業技術者にとっては、ここで説明された実施例の多くの変形が計画できることを理解するであろう。本発明が実施例によって説明されたとはいえ、特許請求の範囲の精神および範囲内の変更によって上に述べた変形の実行を計画することができる。例えば、図２の患者区域内には単に１つの周辺ドッキングステーションプラットフォーム１１０”だけが示されているが、明らかに、モニタ装置に接続することを望む周辺機器の数に従って、複数のそのような周辺ドッキングステーションプラットフォーム１１０”が所定の区域内で使用されることが可能である。
【００４２】
【発明の効果】
周辺機器が容易に接続でき／接続解除できる、患者モニタ装置を提供できる。
【図面の簡単な説明】
【図１】本発明によって構成された患者モニタ装置を形成するブロック図。
【図２】図１に示された、本発明による多数のドッキングステーションプラットフォーム、１つの患者モニタ、１つのレコーダおよび他の周辺機器の使用に関する等角投影図。
【図３】図２に示された１つのドッキングステーションプラットフォームの分解図。
【図４】図２に示されるウォールボックスとして用いるのに適当な装置の等角全面図。
【符号の説明】
１００    患者モニタドッキングステーション装置
１０２    ポータブルモニタ
１１０    ドッキングステーションプラットフォーム
１１１    ドッキングステーション
１２０    ベッドサイドディスプレイ
１２２    コンピュータまたはインテリジェントワークステーション
１２４    大型ビデオディスプレイ
１２６−１３９    導体
１４０    ウォールボックス
１４２    ケーブル
１５０，１５２    データ取得ポッド
１６０    非侵入型血圧カートリッジ
１６２    終了呼吸ＣＯ２カートリッジ
１６４    ストリップチャートレコーダ
１６６    バッテリパック
１７０，１７２，１７４    カップリング
１８２    キーボード
２４０    電源およびネットワークボックス
２４２    ヒートシンク
２４４−２５０    コネクタ
２６０    ブラケット
２６１    取り付け穴
２６２，２６４    溝
２６６    チャンネル
２６８    ケーブル
【図１】
0003850482.tif 000002
【図２】
0003850482.tif 000003
【図３】
0003850482.tif 000004
【図４】
0003850482.tif 000005